(57)【要約】【課題】幅や厚さ等のサイズの異なる携帯電話機を安定して支持できるようにするとともに、携帯電話機の充電用接点の位置及び相互の間隔が異なっても確実に充電できるよう構成された携帯電話機用スタンドを提供する。【解決手段】携帯電話機の左右両側面に接するよう相対して設けられた一対のローラーと、携帯電話機の背面に接するよう設けられたローラーで携帯電話機を支持するよう構成されているとともに、携帯電話機の下端面に植設された複数の充電用接点にいずれかの充電用接点ピンが当接できるよう複数の充電用接点ピンが植設されている携帯電話機用スタンドである。そこで携帯電話機の幅、厚さ等サイズが異なっても安定して収容できるようそれぞれのローラーの位置が可変であることを特徴とする。【選択図】図１
0003112772.tif 000002
【実用新案登録請求の範囲】
【請求項１】
携帯電話機の左右両側面に接するよう相対して設けられた一対のローラーと携帯電話機の背面に接するよう設けられたローラーで携帯電話機を支持するよう構成されているとともに、携帯電話機の下端面に設けられた充電用接点にいずれかの充電用接点ピンが当接できるよう複数の充電用接点ピンが植設されていることを特徴とする携帯電話機用スタンド。
【請求項２】
携帯電話機の左右両側面に接するよう相対して設けられた一対のローラーは、相互の間隔が調整できるようローラー軸がそれぞれバネで支持されているとともに、携帯電話機の背面に接するよう設けられたローラーもローラー軸の位置が前後に移動でき、ローラーの位置が可変となっていることを特徴とする請求項１記載の携帯電話機用スタンド。
【請求項３】
複数の充電用接点ピンは、携帯用電話機の充電用接点の位置及び相互の間隔が異なっても、いずれかの充電用接点ピンが当接できるよう植設されていることを特徴とする請求項１又は２記載の携帯電話機用スタンド。
【考案の詳細な説明】
【技術分野】
【０００１】
本考案は、携帯電話機を自立させることができるとともに、充電機能を有する携帯電話機用スタンドに関する。
【背景技術】
【０００２】
携帯電話機用スタンド又はホルダーとしては、スタンド付き光る携帯電話ホルダー（特許文献１参照），電話機用スタンド（特許文献２参照），携帯電話機用スタンド装置（特許文献３参照）などが出願されている。
【特許文献１】実願平１０−１００２３号，実登録第３０５９３０９号公報
【特許文献２】特開２００１−１８９７８７号公報
【特許文献３】特開２００３−１０１６２６号公報
【０００３】
スタンド付き光る携帯電話ホルダー（特許文献１），電話機用スタンド（特許文献２），携帯電話機用スタンド装置（特許文献３）のいずれもが携帯電話機の受容部の形状，寸法が一定であって調節できるようになっていないため、携帯電話機の機種が異なり、その幅，厚さ等が相違すると安定してスタンド等に収容できないおそれがあり、充電機能を有するもの（特許文献２，特許文献３）では、携帯電話機の充電用接点の位置及び相互の間隔が異なった場合の対応が明らかではない。
【考案の開示】
【考案が解決しようとする課題】
【０００４】
本考案が解決しようとする課題は、幅や厚さ等のサイズの異なる携帯電話機を安定して支持できるようにするとともに、携帯電話機の充電用接点の位置及び相互の間隔が異なっても確実に充電できるよう構成された携帯電話機用スタンドを提供することである。
【課題を解決するための手段】
【０００５】
（１）本考案の第１は、携帯電話機の左右両側面に接するよう相対して設けられた一対のローラーと、携帯電話機の背面に接するよう設けられたローラーで携帯電話機を支持するよう構成されているとともに、携帯電話機の下端面に設けられた充電用接点にいずれかの充電用接点ピンが当接できるように複数の充電用接点ピンが設けられていることを特徴とする携帯電話機用スタンドである。
【０００６】
（２）本考案の第２は、携帯電話機の左右両側面に接するよう相対して設けられた一対のローラーは、相互の間隔が調整できるようローラー軸がそれぞれバネで支持されているとともに、携帯電話機の背面に接するように設けられたローラーもローラー軸の位置が前後に移動でき、ローラーの位置が可変となっている前項（１）記載の携帯電話機用スタンドである。
【０００７】
（３）本考案の第３は、複数の充電用接点ピンは、携帯電話機の充電用接点の位置及び相互の間隔が異なっても、いずれかの充電用接点ピンが当接できるよう植設されていることを特徴とする前項（１）又は前項（２）記載の携帯電話機用スタンドである。
【考案の効果】
【０００８】
本考案の携帯電話機用スタンドは、幅や厚さ等の異なる携帯電話機でも安定して自立する状態に保つことができるとともに、携帯電話機の充電用接点の配置が異なっても確実に充電できるという利点がある。
【考案を実施するための最良の形態】
【０００９】
本考案を実施するための最良の形態の１例を図面に基づいて説明する。ただし、これは本考案の範囲を限定するものではない。
図１は、本考案の携帯電話機用スタンド１の外観斜視図である。
複数の充電用接点ピン８，…が上面に植設された基台２の後端に背面板３を立設し、背面板３の左右上端にＬ字型の腕４，４を相対して設置し、背面板３とＬ字型の腕４，４の空隙に側面ガイド用のローラー５，５が相対して設置されている。
また、腕４，４の前面には、着信及び充電等の表示灯２０ができるように構成されている。
ローラー５，５の中間に、該ローラー５，５と直交するように背面ガイド用のローラー６が設けられているが、ローラー６の軸受１９，１９は図５に示すように、背面板２に設けられた溝に嵌込みとなっている。
【００１０】
図２は、充電用接点ピン８の装着構造を示す図である。合成樹脂等の絶縁体で構成された基台２に複数の充電用接点ピン８が植設されているが、基台２に設けられた穴に銅又はリン青銅等の導電体からなる軸受ブッシュ１１が嵌め込んであり、軸受ブッシュ１１はスイッチ９を介して電源コード１０に導かれている。
基台２に設けられた穴底には底蓋１４が設けられているが底蓋１４は絶縁体で作られており、充電用接点ピン８を支持するバネ１２が着脱可能なように設けられている。又バネ１２をリン青銅製にし、底蓋１４の上に導電板１３を設けると、導電板１３はバネ１２に接しているのでバネ１２と導電板１３を介して電源コード１０に電気を導くようにしてもよい。また、充電用接点ピン８は緩やかなテーパーとなっており、上死点でストップするようになっている。
【００１１】
図３は、ローラー５，５のバネ押え部の側断面図である。腕４，４に軸ガイド溝１６，１６が設けられ、ローラー軸１５，１５が嵌め込まれている。
腕４，４に設けられたバネ挿入穴１７，１７にはバネ１２ａ，１２ａが左右に相対して挿入され、バネ１２ａ，１２ａの一端はストッパー１８でねじ止めされ、他端はローラー軸１５に接している。
【００１２】
図４は、図３におけるＡ−Ａ断面図である。背面板３と、腕４，４に設けられた軸ガイド溝１６，…に嵌め込まれローラー５，５のローラー軸１５，１５が支持され、バネ挿入穴１７，…に挿入されたバネ１２ａ，…で押えられている。また、ローラー６がローラー５，５に直角に配置されている。さらに、ローラー５，６の表面はそれぞれゴム２１で被覆されている。
【００１３】
図５は、ローラー６の断面図である。ローラー６の軸を支持する軸受１９は、背面板３に設けられた溝に嵌込みとなっている。左右にツマミ７，７があり、該ツマミを緩めてローラー６の前後の位置を調整することができる。
【００１４】
図６は、本考案の携帯電話機用スタンドの使用例を示す説明図である。
携帯電話機２２は、左右のローラー５，５で支持され、基台２の上面に多数植設された充電用接触ピン８…の中から選択された充電用接触ピン８，８が充電接点２３，２３に接触し、充電する。
【図面の簡単な説明】
【００１５】
【図１】携帯電話機用スタンドの外観斜視図である。
【図２】充電用接点ピンの装着構造を示す図である。
【図３】側面ガイド用ローラーのバネ押え部の側断面図である。
【図４】図３におけるＡ−Ａ断面図である。
【図５】背面ガイド用ローラー６の断面図である。
【図６】携帯電話機用スタンドの使用例を示す説明図である。
【符号の説明】
【００１６】
１  携帯電話機用スタンド
２  基台
３  背面板
４  腕
５，６  ローラー
７  ツマミ
８  充電用接点ピン
９  スイッチ
１０  電源コード
１１  軸受ブッシュ
１２，１２ａ  バネ
１３  導電板
１４  底蓋
１５  ローラー軸
１６  軸ガイド溝
１７  バネ挿入穴
１８  ストッパー
１９  軸受
２０  表示灯
２１  ゴム
２２  携帯電話機
２３  充電接点
【図１】
0003112772.tif 000003
【図２】
0003112772.tif 000004
【図３】
0003112772.tif 000005
【図４】
0003112772.tif 000006
【図５】
0003112772.tif 000007
【図６】
0003112772.tif 000008